(57)【要約】【課題】発光体４のリード端子４ａとランプ端子５との組付け作業性を容易とし，最少の部品構成で、発光体４のリード端子４ａとランプ端子５とを確実に接続することができる照光傾動スイッチを提供する。【解決手段】発光体４のリード端子４ａの間隔とランプ端子５との間にわずかな間隔差を設けるとともに、ランプ端子５のリード端子４ａの接続部に傾斜と突起部５ｄの段差を設けて、発光体４のリード端子４ａとランプ端子５を引っ掛け仮留め固定し、このランプ端子５の接続部として少なくとも、一対のＬ字状腕部５ｅを設置してリード端子４ａを挟持するための平坦部５ａとＬ字状腕部５ｅの折曲方向には、板厚差を設置し、リード端子４ａの直線部をＬ字状腕部５ｅで挟む際、リード端子４ａ自体に湾曲の応力を生じさせ、ランプ端子５のＬ字状腕部５ｅとリード端子４ａ双方が互いに押圧するようにした。【選択図】　　図１
2004087151.tif 000002
【特許請求の範囲】
【請求項１】
スイッチ筐体を形成するハウジングと、該ハウジングに軸支した操作部と、前記ハウジング底部に絶縁性部材から成るベースを嵌着し、前記ベースに開閉接触機構部とリード端子を有する発光体とを配置するとともに前記リード端子と連結するランプ端子を配設した照光傾動スイッチにおいて、前記ランプ端子に前記リード端子の端子軸方向に少なくとも一対のＬ字状腕部を形成し、前記発光体のリード端子を前記ランプ端子のＬ字状腕部により前記リード端子一本当り少なくとも二個所で挟持することを特徴とする照光傾動スイッチ。
【請求項２】
前記ランプ端子は前記照光傾動スイッチ本体外部に導出する板状端子部と前記照光傾動スイッチ内部にて略コの字状に折り曲げた前記Ｌ字状腕部とを有し、前記リード端子を前記Ｌ字状腕部にて加締め固定する際、前記Ｌ字状腕部の倒れ込みを許可する板厚差を以って折曲するようにしたことを特徴とする請求項１の照光傾動スイッチ。
【請求項３】
前記リード端子間ピッチよりも、前記ランプ端子間ピッチが広く配列されることを特徴とする請求項１乃至請求項２記載の照光傾動スイッチ。
【発明の詳細な説明】
【０００１】
【発明の属する技術分野】
本発明は各種電子機器の操作用スイッチとして使用される照光傾動スイッチに関する。
【０００２】
【従来の技術】
図９、図１０は従来の照光傾動スイッチの主要構造を示す図である。
図９において光源となる発光体１０のリード端子１０ａは筐体としてのハウジング１２の中央部の中間壁１２ａに設置されている端子孔１２ｂを通って外部に導出される。導出した発光体１０のリード端子１０ａはランプ端子１１の側面に設置された突起部１１ａに挿入された後、この突起部１１ａを加締めてリード端子１０ａが固定されている。
図１０はハウジング１６の内部に組込む防塵カバー１４とハウジング底面部１６ａとの間に設置された板バネ状ランプ端子１５で発光体１３の薄板状のリード端子１３ａを左右から挟み込む接続構造の事例である。
【０００３】
【発明が解決しようとする課題】
従来の照光傾動スイッチにおけるリード端子１０ａとランプ端子１１の接続の確実性はランプ端子１１の片側のみに設置された突起部１１ａのため、加締め作業において、ランプ端子１１の傾きを抑える為厳しい形状管理や折曲量を決める位置管理が必要になる。
また、加締め個所がスイッチの外部にあるため、はんだ付け時の熱やランプ端子１１自体に加わる外部応力によっては導通に影響する要素が懸念される。
一方、薄板状のリード端子１３ａを左右からの板バネで挟む接続方法は発光体１３の保持がやや不安定であり、振動や衝撃に弱いという課題があった。
また、ランプ端子１５は左右からの挟み込みとなるため、ランプ端子１５の寸法精度は厳しく、その取り扱いも十分注意が必要となるという問題があった。
本発明は、こうした問題を解決し、発光体のリード端子とランプ端子の接続の確実性を向上させた照光傾動スイッチを提供することを目的とする。
【０００４】
【課題を解決するための手段】
本発明は、上記問題を解決するために、スイッチ筐体を形成するハウジングと、該ハウジングに軸支した操作部と、前記ハウジング底部に絶縁性部材から成るベースを嵌着し、前記ベースに開閉接触機構部とリード端子を有する発光体とを配置するとともに前記リード端子と連結するランプ端子を配設した照光傾動スイッチにおいて、前記ランプ端子に前記リード端子の端子軸方向に少なくとも一対のＬ字状腕部を形成し、前記発光体のリード端子を前記ランプ端子のＬ字状腕部により前記リード端子一本当り少なくとも二個所で挟持するようにしたものである。
また、前記ランプ端子は前記照光傾動スイッチ本体外部に導出する板状端子部と前期照光傾動スイッチ内部にて略コの字状に折り曲げた前期Ｌ字状腕部とを有し、前記リード端子を前記Ｌ字状腕部にて加締め固定する際、前記Ｌ字状腕部の倒れ込みを許可する板厚差を以って折曲するようにしたものである。
さらに、前記リード端子間ピッチよりも、前記ランプ端子間ピッチが広く配列されるようにしたものである。
【０００５】
【発明の実施の形態】
本発明によれば、発光体のリード端子をスイッチ本体内のランプ端子に植設した一対のＬ字状腕部の圧接部をもって、リード端子一本につき二個所の挟持部で固定する事により、発光体自体の固定と導通回路の接続を確実なものとすることができる。
【０００６】
【実施例】
以下に本発明の照光傾動スイッチの実施例について図面を参照しながら詳細に説明する。
図１は本発明の照光傾動スイッチの実施例を示す略中央断面図、図２はその側面断面図、図３はその分解斜視図、図４は本発明の実施例である照光傾動スイッチの一部破断した状態でボタン、フィルタ、可動接片を除いた斜視図であり、これらの図において、スイッチ本体部分を構成する。
【０００７】
図１は照光傾動スイッチ内部における発光体とランプ端子の位置関係を示し、開閉接触機構用に接触端子７と共通端子８をベース９に配置するとともに、リード端子４ａを有する発光体４を略中央に配置するため、ランプ端子５も配置したベース９を、スイッチ筐体としてのハウジング３の底面部に嵌着し、操作部としてのボタン１はハウジング３に軸支され、ボタン１の内側にはフィルタ２を配置して組立てられる。
【０００８】
図２は図１の発光体４を正面から見て、発光体４のリード端子４ａがランプ端子５に挟持する際、発光体４のリード端子４ａの間隔とベース９に対向配置したランプ端子５の間隔に差を設置して、スイッチ内に配列させている状態を示している。
【０００９】
図３において、ボタン１及びフィルタ２は透光性部材から形成され、ボタン１の両側面には傾動するための軸が形成され、その軸の下には可動接片６の切換りを行う為の突片が垂設され、フィルタ２の両側面には突片形状に合わせて溝が設けてあり、ボタン１の内部に重設して用いられ、ハウジング３は底面部を形成するベース９とは分離されているが開閉接触部でのアーク生成物を飛散させないようにする為ハウジング３の内面に壁を配置し、ハウジング３の外周部には樹脂部材からなる弾性突起部を側面に配設し、開閉接触機構部としてりん青銅等弾性部材を略Ｕ字状に曲げた可動接片６と接点を取り付けた接触端子７、及び可動接片６を支える受け部を形成する共通端子８を前記ベース９に固定する。
【００１０】
図１、図２及び図４において、絶縁性部材で形成されたベース９に、対抗して配列したランプ端子５が固定されている状況において、発光体４のリード端子４ａはＬ字状に折曲され、該リード端子４ａは一対のＬ字状腕部５ｅを持ち圧接部５ｂと平坦部５ａを構成しているランプ端子５に狭持し固定するようにしたものである。
【００１１】
図５は本発明の実施例を示す加締め前の要部の上面図であり、発光体４のリード端子４ａをランプ端子５に挟持するとき、各端子の間隔に差があるためランプ端子５に挟み込むとリード端子４ａが捩じれランプ端子５の角部５ｃにリード端子４ａが当り、リード端子４ａの捩じれによるバネ性で発光体４の仮止め状態が得られる。
【００１２】
図６は本発明の実施例を示す加締め前の要部の側面図であり、発光体４のリード端子４ａを正面から見たときを示し、ランプ端子５のＬ字状腕部５ｅの先端部には加締治具、リード端子４ａ挿入作業用に傾斜を配置してあり、リード端子４ａを挟持する側の傾斜にはリード端子４ａ抜け防止としての突起部５ｄを配置してランプ端子５の圧接部５ｂを変形させてリード端子４ａを固定する作業を行うときに発光体が外れ、抜け、落下しないようにして取り扱いが容易になる。
【００１３】
図７は本発明の実施例を示す加締め後の要部の上面図であり、ランプ端子５のＬ字状腕部５ｅの圧接部５ｂを変形させて、発光体４のリード端子４ａを加締めたときの状態を示し、直線状になっていたリード端子４ａがランプ端子の二個所のＬ字状腕部５ｅに挟まれ、ランプ端子の平坦部５ａの角部５ｃに当っているところからリード端子４ａが湾曲し、ランプ端子５と発光体４のリード端子４ａは互いに押し合い、発光体への接続が確実となる。
【００１４】
この際、ランプ端子５はベース９内で対向配列し、一本のランプ端子５に一対のＬ字状腕部５ｅを形成しているので、発光体４のリード端子４ａを固定するため、Ｌ字状腕部５ｅの圧接部５ｂを変形させる際、ランプ端子５の一本にはニ個所に均等の変形荷重を加えることになり、ランプ端子５の傾きを抑え加締め作業が容易となる。
【００１５】
図８は本発明の実施例を示す加締め後の要部の側面図であり、発光体４のリード端子４ａがランプ端子５の平坦部５ａと圧接部５ｂに挟持されていて、圧接部５ｂを変形させてリード端子４ａを加締め、固定した時の圧接部５ｂの状態を示し、圧接部５ｂの変形方向には平坦部５ａと板厚差の空間を配置してあるため、リード端子４ａ固定における圧接部５ｂの折り曲げ量を決める治具の位置管理は容易となる。
【００１６】
【発明の効果】
以上、詳細に説明したように、本発明によれば次のような効果を奏することができる。
（１）スイッチ筐体を形成するハウジングと、該ハウジングに軸支した操作部と、前記ハウジング底部に絶縁性部材から成るベースを嵌着し、前記ベースに開閉接触機構部とリード端子を有する発光体とを配置するとともに前記リード端子と連結するランプ端子を配設した照光傾動スイッチにおいて、前記ランプ端子に前記リード端子の端子軸方向に少なくとも一対のＬ字状腕部を形成し、前記発光体のリード端子を前記ランプ端子のＬ字状腕部により前記リード端子一本当り少なくとも二個所で挟持するので、発光体の接続が安定し高い信頼性がえられる。
（２）前記ランプ端子は前記照光傾動スイッチ本体外部に導出する板状端子部と前期照光傾動スイッチ内部にて略コの字状に折り曲げた前期Ｌ字状腕部とを有し、前記リード端子を前記Ｌ字状腕部にて加締め固定する際、前記Ｌ字状腕部の倒れ込みを許可する板厚差をもって折曲したので、発光体のリード線圧接部を変形させる加締め条件は範囲が広くなり、加締め作業は容易となる為、その加締作業が向上し、発光体の固定が安定する。
（３）前記ランプ端子は前記ベースに互いに対向配列させるとともに、該ランプ端子の一対のＬ字状腕部の間隔と前記発光体のリード端子の間隔とに差を設定したので、発光体のリード端子間隔にとらわれず、リード端子とランプ端子の接続は狭いところでも加締め、固定しランプ端子の配列を容易にできる。
【図面の簡単な説明】
【図１】本発明の実施例を示す略中央断面図
【図２】本発明の照光傾動スイッチの側面断面図
【図３】本発明の照光傾動スイッチの分解斜視図
【図４】本発明の実施例である照光傾動スイッチの一部を破断した状態でボタン、フィルタ、可動接片を除いた斜視図
【図５】本発明の実施例を示す加締め前の要部の上面図
【図６】本発明の実施例を示す加締め前の要部の側面図
【図７】本発明の実施例を示す加締め後の要部の上面図
【図８】本発明の実施例を示す加締め後の要部の側面図
【図９】従来例の筐体の一部を破断して示した分解斜視図
【図１０】他の従来例を示す側面断面図
【符号の説明】
１　　ボタン
２　　フィルタ
３、１２、１６　　ハウジング
４、１０、１３　　発光体
４ａ、１０ａ、１３ａ　　リード端子
５、１１，１５　　ランプ端子
５ａ　　平坦部
５ｂ　　圧接部
５ｃ　　角部
５ｄ、１１ａ　　突起部
５ｅ　Ｌ字状腕部
６　　可動接片
７　　接触端子
８　　共通端子
９　　ベース
１２ａ　　中間壁
１２ｂ　　端子孔
１４　　防塵カバー
１６ａ　ハウジング底面部
【図１】
2004087151.tif 000003
【図２】
2004087151.tif 000004
【図３】
2004087151.tif 000005
【図４】
2004087151.tif 000006
【図５】
2004087151.tif 000007
【図６】
2004087151.tif 000008
【図７】
2004087151.tif 000009
【図８】
2004087151.tif 000010
【図９】
2004087151.tif 000011
【図１０】
2004087151.tif 000012